(57)【要約】【課題】より簡単にファイルに見出しを取り付けることができる構造をより簡単な構成で実現する。【解決手段】本体１と、本体１との間で見出し等を挟み込むように構成しているポケットカバー２とを具備するファイルＦの前記本体１に前記ポケットカバー２をスライドさせて取り付けるようにするとともに、前記ポケットカバー２の前記スライド方向における先端部に設けた係合部たる係合孔２ａと、前記本体に設けた被係合部たる係合突起１４とを係合させて保持するようにした。【選択図】図３
2004058358.tif 000002
【特許請求の範囲】
【請求項１】
本体と、本体との間で見出し等を挟み込むように構成しているポケットカバーとを具備するものであって、前記本体に前記ポケットカバーをスライドさせて取り付けるようにしているとともに、前記ポケットカバーの前記スライド方向における先端部と前記本体とのいずれか一方に係合部、他方に被係合部をそれぞれ設け、これら係合部と被係合部とを係合させて保持するようにしていることを特徴とするファイル。
【請求項２】
前記係合部が、前記ポケットカバーの厚み方向に貫通する係合孔であるとともに、前記被係合部が、前記係合孔に係合する係合突起であることを特徴とする請求項１記載のファイル。
【請求項３】
前記係合突起の突出寸法がスライド方向に向けて増大していることを特徴とする請求項２記載のファイル。
【請求項４】
前記係合突起を表紙面が向く方向と反対の方向に突出させていることを特徴とする請求項２又は３記載のファイル。
【請求項５】
前記ポケットカバーの先端部に前記係合部を有する突出部を設けているとともに、前記突出部を収納する収納部を設け、この収納部に表紙面を形成していることを特徴とする請求項１、２、３、又は４記載のファイル。
【請求項６】
前記本体に前記ポケットカバーを嵌め入れるとともにスライド方向を案内する取付凹部と、前記取付凹部の側縁部に設けられ、前記ポケットカバーの前記本体から離れる方向への移動を阻止するとともに、前記ポケットカバーの厚さ方向への位置決めを行う保持部とを設けていることを特徴とする請求項１、２、３、４、又は５記載のファイル。
【請求項７】
前記保持部が間欠的に複数設けられた保持爪であることを特徴とする請求項６記載のファイル。
【請求項８】
前記本体を樹脂による一体成型により構成していることを特徴とする請求項１、２、３、４、５、６、又は７記載のファイル。
【発明の詳細な説明】
【０００１】
【発明の属する技術分野】
本発明は、ポケットカバーを有するファイルに関する。
【０００２】
【従来の技術】
従来、紙葉類を閉じこむファイルに見出しを挿入するためのポケットカバーを設ける場合、予めポケットカバーを熱又は超音波などにより本体に溶着しておく方法や、本体に切れ込みを複数箇所設け、ポケットカバーをこの複数箇所の切れ込みに差し込む方法が用いられている。
【０００３】
【発明が解決しようとする課題】
しかし、前者の方法では、ポケットカバーを本体に溶着する手間がかかるとともに、見出しは必ずポケットカバーと本体との間の隙間から挿入しなければならないので、見出しを設けるのにも手間がかかる。一方、後者の方法では、先に見出しを前記２箇所の切れ込み間の部分に配置してからポケットカバーの両端部をこの２箇所の切れ込みに差し込むが、ポケットカバーの取付の際に見出しが移動して取付に手間がかかることが多い。
【０００４】
本発明は以上に述べた課題を解決し、ファイルにより簡単に製造でき、かつ簡単に見出しを設けることができるように構成したものである。
【０００５】
【課題を解決するための手段】
すなわち本発明に係るファイルは、本体と、本体との間で見出し等を挟み込むように構成しているポケットカバーとを具備するものであって、前記本体に前記ポケットカバーをスライドさせて取り付けるようにしているとともに、前記ポケットカバーの前記スライド方向における先端部と前記本体とのいずれか一方に係合部、他方に被係合部をそれぞれ設け、これら係合部と被係合部とを係合させて保持することを特徴とする
このようなものであれば、ポケットカバーをスライドするだけで本体に取り付けることができるので、先に見出しを本体の所定位置に配置してから見出しが容易に動かないように押さえつつポケットカバーをスライドさせることにより見出しを設けることができるようになり、ファイルに見出しを設ける手間を大幅に低減できる。さらに、スライド方向における先端部において係合部と被係合部とを係合させて保持しているので、構造を簡単なものにできる。
【０００６】
このようなファイルのポケットカバーと本体との具体的な係合構造の最も簡単な一例として、前記係合部が、前記ポケットカバーの厚み方向に貫通する係合孔であるとともに、前記被係合部が、前記係合孔に係合する係合突起であるものが挙げられる。
【０００７】
特に、前記係合突起の突出寸法がスライド方向に向けて増大しているものであれば、ポケットカバーを前記係合突起を越えて移動しやすくできる。
【０００８】
ポケットカバーをより外れにくくするには、前記係合突起を表紙面が向く方向と反対の方向に突出させればよい。このようにすれば、ファイルを書棚から引き出す際に誤ってカバーを引張ってしまう等、ポケットカバーに本体から離す方向の外力が加わると、ポケットカバーに設けた係合孔と前記係合突起がより深く係合するようになるからである。また、このように構成すれば、係合部が表紙面側に露出しないようにして見栄えを整えることもできるようになる。なお、「表紙面」とは、本体に形成した表表紙の表表紙面、背表紙の背表紙面、及び裏表紙の裏表紙面を含む概念である。
【０００９】
このようなファイルをより見栄えよくするには、前記ポケットカバーの先端部に前記係合部を有する突出部を設けているとともに、前記突出部を収納する収納部を設け、この収納部に表紙面を形成するとよい。このようなものであれば、表紙面が形成された前記収納部により前記係合部及び前記被係合部が被覆されるからである。
【００１０】
前記ポケットカバーのスライド方向を案内するとともに、厚み方向の位置決めを有効に行うには、前記本体に前記ポケットカバーを嵌め入れるとともにスライド方向を案内する取付凹部と、前記取付凹部の側縁部に設けられ、前記ポケットカバーの前記本体から離れる方向への移動を阻止するとともに、前記ポケットカバーの厚さ方向への位置決めを行う保持部とを設ければよい。
【００１１】
このような保持部の具体的な態様の一例として、前記保持部が間欠的に複数設けられた保持爪であるものが挙げられる。このようなものであれば、金型成型を行う際に簡単にこの部分の成型を行うことができる。
【００１２】
上述したようなファイルの構成は、前記本体を樹脂による一体成型により構成しているものにおいてより効果的である。
【００１３】
【発明の実施の形態】
以下に本発明の一実施形態について述べる。
【００１４】
本実施形態に係るファイルＦは、斜視図を図１に示すように、少なくとも本体１と、ポケットカバー２と、前記本体１に着脱可能に構成された綴じ具３とを具備する。
【００１５】
前記本体１は、表表紙１１、背表紙１２及び裏表紙１３を一体に成形してなる樹脂製のもので、表紙間の接続部分の厚み寸法を他の部分より小さくし、その部分が屈曲可能なヒンジ機能を有するようにしている。もちろん、背表紙１２と、表表紙１１及び裏表紙１３とが別体のものでも構わない。
【００１６】
綴じ具３は、同図に示すように、矩形板状をなす一対の用紙押さえ部材３１、３２と、各用紙押さえ部材３１、３２の面板部から鉛直に突出し前記背表紙１２の幅寸法に対応する長さ寸法を有した複数本の図示しない綴り桿と、前記本体１に設けられた保持ベース部３３と、前規保持ベース部３３に図１に示す係合位置と図示しない非係合位置との間で移動可能に保持させ、前記用紙押さえ部材３１、３２と着脱可能に係合する軸部材３４と、前記軸部材の径を大きくして設け、前記用紙押さえ部材３１、３２の着脱操作の操作力を加える部位である操作部３５と、両端部を前記保持ベース部３３に固定しているとともに、中央部を前記操作部３５に連結された弾性変形部３６とからなるものである。なお、前記保持部３３、軸部材３４、操作部３５、及び弾性変形部３６は、本実施形態では二色成型により本体１と一体に形成しているが、本体１と別体に形成してももちろんよい。
【００１７】
しかして、本実施形態では、図１に示すように、本体１とポケットカバー２との間で見出し等を挟み込むように構成しているとともに、前記本体１に前記ポケットカバー２をスライドさせて取り付けるようにし、さらに前記ポケットカバー２の前記スライド方向における先端部たる突出部２ｘに設けた係合部たる係合孔２ａと、前記本体１に設けた被係合部たる係合突起１４とを係合させて保持するようにしている。
【００１８】
より具体的には、前記ポケットカバー２は、シート状の透明な樹脂により形成されていて、略矩形状をなすとともに、その一端部には前記突出部２ｘを突出させて設けていて、この突出部に円形をなす前記係合孔２ａを設けている。また、他端部には、切欠２ｋを設けている。
【００１９】
一方、前記本体１には、前記図１、係合突起１４付近の斜視図である図２、及び係合突起１４の部分における縦断面図である図３に示すように、前記ポケットカバー２を嵌め入れるとともにスライド方向を案内する取付凹部１２ｘと、前記取付凹部１２ｘの側縁部に設けられ、前記ポケットカバー２の前記本体１から離れる方向への移動を阻止するとともに、前記ポケットカバー２の厚さ方向への位置決めを行う保持部たる保持爪１２ｙと、前記係合突起１４を有する収納部１２ｚとを形成している。
【００２０】
さらに詳述すると、前記取付凹部１２ｘは、背表紙１２の一部を、側縁部を残して背表紙面１２ａが向く方向と反対方向に後退させて設けているとともに、両側縁部に側壁１２１を形成していて、この側壁１２１によりポケットカバー２のスライド方向を案内している。ここで、前記背表紙面１２ａは、請求項中の表紙面としての役割を果たす。一方、前記取付凹部１２ｘとスライド方向側に隣接する部分の裏側には、突出部２ｘに対応する形状の凹部である収納部１２ｚを設けている。この収納部１２ｚは、前記突出部２ｘをスライドさせて自然にこの収納部１２ｚに収納されるように、その深さ寸法を底が前記背表紙面１２ａと同一平面になる寸法よりも大きくしている。すなわち、この収納部１２ｚは前記取付凹部１２ｘと連通している。また、この収納部１２ｚには、前記係合突起１４を背表紙面１２ａが向く方向と反対方向に突出して設けている。この係合突起１４は、円筒形を突出寸法がスライド方向に向けて増大するように斜めに切断した形状をしていて、スライド方向と反対側の端は収納部１２ｚの底と同一平面にある。なお、この収納部１２ｚの裏面は背表紙面１２ａを形成している。さらに、両側の前記側壁１２１の上部から、前記保持爪１２ｙを所定ピッチで互いに対抗する向きに突出させて設けていて、ポケットカバー２の厚さ方向位置がこの係合爪１２ｙと前記背表紙面１２ａとの間になるようにしている。
【００２１】
次に、このファイルＦの背表紙１２に見出しを設ける方法を述べる。
【００２２】
まず、前記ポケットカバー２を取り外した状態で、本体１の背表紙面１２ａに見出しを配置する。次に、突出部２ｘをスライド方向側に向けた状態で前記ポケットカバー２を前記取付凹部１２ｘに嵌め込む。そして、前記見出しをずれないように押さえつつ、スライド方向にスライドさせて本体１とポケットカバー２とにより前記見出しを挟んだ状態にする。そして、前記ポケットカバー２を、前記突出部２ｘが前記収納部１２ｚに収納されて、前記係合孔２ａが前記係合突起１４と係合するまでさらにスライド方向にスライドさせる。あるいは、見出しを配置しない状態で上述したのと同様の手順で前記ポケットカバー２をスライドさせて前記本体１に取り付け、前記本体１と前記ポケットカバー２との間の空間に見出しを挿入して設けてもよい。
【００２３】
いっぽう、見出しを取り外すには、見出しの前記ポケットカバー２に設けた切欠２ｋから露出した部分に手ないし指を掛けて、反スライド方向に引き出すようにする。
【００２４】
また、このファイルＦから前記ポケットカバー２を取り除くには、前記ポケットカバー２をスライド方向にスライドさせる。すると、このポケットカバー２のスライド方向側の端部が弾性変形して、前記係合孔２ａと前記係合突起１４との係合が解除される。そして、その状態からポケットカバー２をスライド方向の反対側にスライドさせていくと、ポケットカバー２を取り除くことができるようになる。
【００２５】
以上のように、本体１にポケットカバー２をスライドさせて取り付けるようにしているので、このファイルＦに簡単に見出しを設けることができるとともに、前記係合孔２ａと前記係合突起１４とを係合させて保持させるようにしているので、構造を簡単なものにできる。
【００２６】
さらに、係合突起１４を、スライド方向に向けて突出寸法を増大させた形状にしているので、この係合突起１４を越えてポケットカバー２をスライドしやすくできる。
【００２７】
加えて、この係合突起１４を、背表紙面１２ａと反対向きに突出させているので、ポケットカバー２に本体１から離す方向への外力が加わると係合突起１４と係合孔２ａとがより深く係合するようになり、ポケットカバー２を外れにくくできる。
【００２８】
また、ポケットカバー２に係合孔２ａを有する突出部２ｘを設けるとともに、前記突出部２ｘを収納する収納部１２ｚを設け、この収納部１２ｚに背表紙面１２ａを形成しているので、背表紙面１２ａ側から係合突起１４を見えなくでき、見栄えをよくすることができる。
【００２９】
一方、本体１にポケットカバー２を嵌め入れるとともにスライド方向を案内する取付凹部１２ｘと、前記取付凹部１２ｘの側縁部に設けられ、前記ポケットカバー２の前記本体１から離れる方向への移動を阻止するとともに、前記ポケットカバー２の厚さ方向への位置決めを行う保持爪１２ｙとを設けているので、ポケットカバー２のスライド方向の案内をより確実に行えるとともに、ポケットカバーをより確実に保持できる。
【００３０】
また、保持部として前記保持爪１２ｙを間欠的に複数設けているので、保持部の形成を本体１の樹脂による金型一体成型を行う際に一度に行うことができ、保持部の形成を少ない手間で行うころができる。
【００３１】
そして、本体１を樹脂による一体成型により形成しているので、本体１に剛性を与えるとともに本体１の製造の手間を省くことができる。
【００３２】
なお、本発明は上述した実施形態に限られない。
【００３３】
例えば、ポケットカバーに係合爪を設けるとともに、本体にこの係合爪と係合する係合孔ないし係合凹部を設けるようにしてもよい。
【００３４】
また、前記係合突起の形状も、上述した以外に、例えば四角柱を斜めに切ったような形状等、他の柱体を斜めに切ったような形状でもよいし、通常の円柱状や四角柱状のものでも構わない。
【００３５】
さらに、前記係合突起は、背表紙面から突出して設けてもよい。この場合、係合突起を覆うように被覆部を設けてもよいし、係合突起を背表紙面側に露出したままにしておいてもよい。
【００３６】
加えて、保持部の形状は、上述したような保持爪でなく、例えばポケットカバーの側縁部を覆うような突条でもよい。また、ポケットカバーの両側縁部から側方に突出した固定部を別に設け、この固定部を本体に設けた切れこみに差し込むようにする等、他の方法でポケットカバーが本体から離れる方向への移動の阻止並びにポケットカバーの厚さ方向の位置決めを行うようにしてもよい。
【００３７】
そして、ポケットカバーは背表紙でなく表表紙又は裏表紙に設けてもよいし、本体の複数箇所に設けてもよい。また、本体は樹脂による一体成型により形成したものでなくてもよい。
【００３８】
その他、ポケットカバーを半透明や着色透明のものにする等、本発明の趣旨を損ねない範囲で種々に変形してよい。
【００３９】
【発明の効果】
本発明は、ポケットカバーをスライドして本体に取り付けるようにしているとともに、ポケットカバーのスライド方向先端部に設けた係合部と本体に設けた被係合部とを係合させて保持するようにしているので、ファイルに簡単に見出しをつけるようにすることを簡単な構成で実現できる。
【図面の簡単な説明】
【図１】本発明の一実施形態に係るファイルの斜視図。
【図２】同実施形態に係るファイルの係合突起付近の斜視図。
【図３】同実施形態に係るファイルの係合突起部分における縦断面図。
【符号の説明】
Ｆ…ファイル
１…本体
１２ａ…背表紙面（表紙面）
１２ｘ…取付凹部
１２ｙ…保持爪（保持部）
１２ｚ…収納部
１４…係合突起（被係合部）
２…ポケットカバー
２ｘ…突出部
２ａ…係合孔
【図１】
2004058358.tif 000003
【図２】
2004058358.tif 000004
【図３】
2004058358.tif 000005